(57)【要約】【課題】  画像処理装置において、フォーカスロックした状態でもピントが合った撮影を可能とし、撮影チャンスを逃がさないことを目的とする。【解決手段】  複数のフォーカスロック位置を記憶しておき、複数のフォーカスロック位置周辺の画像変化をチェックし、画像変化があった場合に記憶されたフォーカスロックポイントにフォーカスレンズを駆動させて、撮影を開始することで、フレームインした被写体にピントが合って、更にフレームインした瞬間の撮影を可能とする。【選択図】  図３
2012160855.tif 000002
【特許請求の範囲】
【請求項１】
複数の画素を備える撮像素子と、前記撮像素子を用いて静止画像を記録媒体に記録及び再生表示する画像処理装置であって、
フォーカスレンズを駆動しながらピント検出を行い、前記ピント検出結果に基づいて、前記フォーカスレンズを所定のポイントに設定するオートフォーカス動作を実行するオートフォーカス手段と、
前記ピント検出位置を指定することができるピント位置指定手段と、
複数の前記ピント位置指定手段で設定された位置に応じた、前記オートフォーカス手段で得られたフォーカスレンズポイントを記憶するフォーカスレンズポイント記憶手段と、
被写体に変化があったことを検出する被写体変化検出手段と、
前記ピント位置指定手段で指定された位置周辺を、前記被写体変化検出手段の検出領域とするフレームイン枠設定手段と、
前記フレームイン枠設定手段で指定された位置の被写体に、前記被写体変化検出手段で変化が検出された場合、
前記フレームイン枠設定手段位置に応じた、前記フォーカスレンズポイント記憶手段に記憶されたポイントに、前記フォーカスレンズを移動する手段と、
静止画像の撮影を開始する手段と
を有する画像処理装置。
【請求項２】
複数の前記フレームイン枠設定手段の位置に、前記被写体変化検出手段の優先度を設定することができる手段を有する請求項１に記載の画像処理装置。
【請求項３】
複数の前記ピント位置指定手段の位置を設定した後、前記優先度の一番高い位置にフォーカスレンズを移動する手段を有する請求項１に記載の画像処理装置。
【請求項４】
複数の前記フレームイン枠設定手段の位置に、前記被写体変化検出手段の検出結果が同時に発生した場合、
前記フォーカスレンズポイント記憶手段に記憶されたフォーカスレンズポイントが近距離側になるポイントにフォーカスレンズを移動する手段を有する請求項１に記載の画像処理装置。
【請求項５】
複数の前記ピント位置指定手段の位置を設定した後、前記フォーカスレンズを一番最初に設定された前記ピント位置指定手段の位置に対応したフォーカスレンズポイントに移動する手段を有する請求項１に記載の画像処理装置。
【請求項６】
前記フォーカスレンズを移動した後、静止画像の撮影を開始する場合、前記フレームイン枠設定手段で設定された領域周辺を切り出して撮影する手段を有する請求項１に記載の画像処理装置。
【請求項７】
設定された全ての前記ピント位置指定手段の位置での静止画の撮影が完了するまで撮影を繰り返す手段を有する請求項１に記載の画像処理装置。
【発明の詳細な説明】
【技術分野】
【０００１】
本発明は、静止画像を撮像、記録、再生する画像処理装置及び画像処理装置制御方法に関するものである。
【背景技術】
【０００２】
撮像素子を有するメモリカードを記録媒体として、静止画像や動画像を記録再生するデジタルカメラ等の画像処理装置は既に市販されており、自動でピントを合わせるオートフォーカス機能を備えるデジタルカメラも販売されている。
【０００３】
これらのデジタルカメラによれば、使用者はピントを合わせることを意識することなく、撮影行為に専念でき、デジタルカメラの使用者にとって有益な機能となっている。
【０００４】
また、通常のデジタルカメラは、シャッタボタンの半押し時に自動焦点調節により合焦位置に移動した後のフォーカスレンズの移動を禁止（フォーカスロック）するフォーカスロック機能を有している。このフォーカスロック機能は、通常、ある被写体に焦点を合わせてから構図を変更する場合に使用され、これにより構図の変更後もフォーカスロックした被写体にピントを合わせることができる。
【０００５】
上記フォーカスロック機能は、シャッタチャンスを逃さないようにフォーカスロックした状態で待機し、被写体の状態（構図、動きなど）をみて撮影を行う場合にも使用される。
【０００６】
また、予め撮影したいピント位置の情報を複数記憶しておき、撮影するときには記憶した情報をもとにレンズ・露出を制御して、次の撮影をするときには、次に記憶したポイントでのＡＥ／ＡＦ情報を使用する技術も開示されている（例えば、特許文献１）。
【先行技術文献】
【特許文献】
【０００７】
【特許文献１】特開２００４−０９６３５３号公報
【発明の概要】
【発明が解決しようとする課題】
【０００８】
このような従来のデジタルカメラ等の画像処理装置においては、被写体がフォーカスロックしたピント位置と異なる位置にフレームインした場合、ピントが合っていない撮影となってしまうことがあった。また、複数のピント位置を記憶しておく手段においても、ユーザーが複数のピント位置を指定しながら撮影を行わなければならないため、撮影チャンスを逃がしてしまうことがあった。
【０００９】
本発明は上記問題点を鑑みてなされたものであり、画像処理装置において、フォーカスロックした状態でもピントが合った撮影を可能とし、撮影チャンスを逃がさないことを目的とする。
【課題を解決するための手段】
【００１０】
本発明の画像処理装置は、
複数の画素を備える撮像素子と、前記撮像素子を用いて静止画像を記録媒体に記録及び再生表示する画像処理装置であって、
フォーカスレンズを駆動しながらピント検出を行い、前記ピント検出結果に基づいて、前記フォーカスレンズを最適なポイントに設定するオートフォーカス動作を実行するオートフォーカス手段と、
前記ピント検出位置を指定することができるピント位置指定手段と、
複数の前記ピント位置指定手段で設定された位置に応じた、前記オートフォーカス手段で得られたフォーカスレンズポイントを記憶するフォーカスレンズポイント記憶手段と、
被写体に変化があったことを検出する被写体変化検出手段と、
前記ピント位置指定手段で指定された位置周辺を、前記被写体変化検出手段の検出領域とするフレームイン枠設定手段と、
前記フレームイン枠設定手段で指定された位置の被写体に、前記被写体変化検出手段で変化が検出された場合、
前記フレームイン枠設定手段位置に応じた、前記フォーカスレンズポイント記憶手段に記憶されたポイントに、前記フォーカスレンズを移動する手段と、
静止画像の撮影を開始する手段と
を有する。
【発明の効果】
【００１１】
課題を解決するための手段に記載した構成により、ピント位置を複数記憶しておくことで、フレームインした場所によらず、ピントが合った撮影を可能とし、撮影チャンスと逃がさないことを可能とする。
【図面の簡単な説明】
【００１２】
【図１】本実施例のブロック図である。
【図２】本実施例の主ルーチンのフローチャートの一部である。
【図３】本実施例の主ルーチンのフローチャートの一部である。
【図４】本実施例の主ルーチンのフローチャートの一部である。
【図５】本実施例の側距・測光データ更新のフローチャートである。
【図６】本実施例の撮影ルーチンのフローチャートである。
【図７】本実施例の記録ルーチンのフローチャートである。
【図８】本実施例のピント位置設定ルーチンのフローチャートである。
【図９】本実施例の複数ピント撮影ルーチンのフローチャートである。
【発明を実施するための形態】
【００１３】
本発明をデジタルカメラを例に用いて説明をおこなう。
【００１４】
＜第１の実施形態＞
以下、図面を参照して本発明の実施例を説明する。図１は、本発明の実施例の構成を示す図である。
【００１５】
図１において、１００は画像処理装置である。
【００１６】
１０は撮影レンズ、１２は絞り機能を備える機械式シャッター、１４は光学像を電気信号に変換する撮像素子、１６は撮像素子１４のアナログ信号出力をデジタル信号に変換するＡ／Ｄ変換器である。
【００１７】
１８は撮像素子１４、Ａ／Ｄ変換器１６にクロック信号や制御信号を供給するタイミング発生回路であり、メモリ制御回路２２及びシステム制御回路５０により制御される。１２の機械式シャッター以外にも、１８の撮像素子のリセットタイミングの制御によって、電子シャッタとして、蓄積時間を制御することが可能であり、動画撮影などに使用可能である。
【００１８】
２０は画像処理回路であり、Ａ／Ｄ変換器１６からのデータ或いはメモリ制御回路２２からのデータに対して所定の画素補間処理や色変換処理を行う。また２０の画像処理回路によって画像の切り出し、変倍処理を行うことで電子ズーム機能が実現される。
【００１９】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ方式のＡＦ処理、ＡＥ処理、ＥＦ処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２０】
２２はメモリ制御回路であり、Ａ／Ｄ変換器１６、タイミング発生回路１８、画像処理回路２０、メモリ３０、圧縮・伸長回路３２を制御する。
【００２１】
Ａ／Ｄ変換器１６のデータが画像処理回路２０、メモリ制御回路２２を介して、或いはＡ／Ｄ変換器１６のデータが直接メモリ制御回路２２を介して、メモリ３０に書き込まれる。
【００２２】
２８はＴＦＴ  ＬＣＤ等から成る画像表示部であり、メモリ２０に書き込まれた表示用の画像データはメモリ制御回路２２を介して画像表示部２８により表示される。画像表示部２８を用いて撮像した画像データを逐次表示すれば、電子ファインダー機能を実現することが可能である。
【００２３】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。また、画像表示部２８にタッチパネルを用いた場合、タッチパネルを操作部としても使用することで、操作部７０を省くことも可能である。
【００２４】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２５】
３１はＦｌａｓｈＲＯＭ等で構成された不揮発性メモリである。システム制御回路５０が実行するプログラムコードは不揮発性メモリ３１に書き込まれ、逐次読み出しながらプログラムコードを実行する。また、不揮発性メモリ内にはシステム情報を記憶する領域や、ユーザー設定情報を記憶する領域を設け、さまざまな情報や設定を次回起動時に読み出して、復元することを実現している。
【００２６】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２７】
４０は絞り機能を備えるシャッター１２を制御する露光制御手段であり、フラッシュ４８と連動することによりフラッシュ調光機能も有するものである。
【００２８】
４２は撮影レンズ１０のフォーカシングを制御する測距制御手段、４４は撮影レンズ１０のズーミングを制御するズーム制御手段である。
【００２９】
４８はフラッシュであり、ＡＦ補助光の投光機能、フラッシュ調光機能も有する。
【００３０】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３１】
５０は画像処理装置１００全体を制御するシステム制御回路である。
【００３２】
６０、６２、６４、６６、７０、７２及び７４は、システム制御回路５０の各種の動作指示を入力するための操作手段であり、スイッチやダイアル、タッチパネル、視線検知によるポインティング、音声認識装置等の単数或いは複数の組み合わせで構成される。
【００３３】
ここで、これらの操作手段の具体的な説明を行う。
【００３４】
６０はモードダイアルスイッチで、電源オフ、自動撮影モード、撮影モード、パノラマ撮影モード、動画撮影モード、再生モード、ＰＣ接続モード等の各機能モードを切り替え設定することが出来る。
【００３５】
６２はシャッタースイッチＳＷ１で、シャッターボタンの操作途中でＯＮとなり、ＡＦ（オートフォーカス）処理、ＡＥ（自動露出）処理、ＡＷＢ（オートホワイトバランス）処理等の動作開始を指示する。
【００３６】
６４はシャッタースイッチＳＷ２で、シャッターボタンの操作完了でＯＮとなる。フラッシュ撮影の場合、ＥＦ（フラッシュプリ発光）処理を行った後に、ＡＥ処理で決定された露光時間分、撮像素子１４を露光させ、フラッシュ撮影の場合、この露光期間中に発光させて、露光期間終了と同時に露光制御手段４０により遮光することで、撮像素子１４への露光を終了させる。撮像素子１４から読み出した信号をＡ／Ｄ変換器１６、メモリ制御回路２２を介してメモリ３０に画像データを書き込む読み出し処理、画像処理回路２０やメモリ制御回路２２での演算を用いた現像処理、メモリ３０から画像データを読み出し、圧縮・伸長回路３２で圧縮を行う、次に記録媒体２００に画像データを書き込む記録処理という一連の処理の動作開始を指示する。
【００３７】
６６は表示切替スイッチで、画像表示部２８の表示切替をすることが出来る。この機能により、光学ファインダー１０４を用いて撮影を行う際に、ＴＦＴ  ＬＣＤ等から成る画像表示部への電流供給を遮断することにより、省電力を図ることが可能となる。
【００３８】
７０は各種ボタン、タッチパネルや回転式ダイアル等からなる操作部で、メニューボタン、セットボタン、マクロボタン、マルチ画面再生改ページボタン、フラッシュ設定ボタン、単写／連写／セルフタイマー切り替えボタン等がある。またメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等もある。
【００３９】
７２はユーザーが撮像画像の倍率変更指示を行うズーム操作手段としてのズームスイッチ部である。以下、ズームスイッチ７２ともいう。このズームスイッチ７２は、撮像画角を望遠側に変更させるテレスイッチと、広角側に変更させるワイドスイッチからなる。このズームスイッチ７２を用いることにより、ズーム制御手段４４に撮影レンズ１０の撮像画角の変更を指示し光学ズーム操作を行うトリガとなる。また、画像処理回路２０による画像の切り出しや、画素補間処理などによる撮像画角の電子的なズーミング変更のトリガともなる。７４は被写体検出部で、被写体を検出する素子などがある。被写体として、顔検出する場合も考えられる。
【００４０】
８６はアルカリ電池の一次電池やＮｉＣｄ電池やＮｉＭＨ電池、Ｌｉイオン電池等の二次電池、ＡＣアダプター等からなる電源手段である。
【００４１】
９０はメモリカードやハードディスク等の記録媒体とのインタフェース、９２はメモリカードやハードディスク等の記録媒体と接続を行うコネクタである。
【００４２】
１０２は、画像処理装置１００のレンズ１０を含む撮像部を覆う事により、撮像部の汚れや破損を防止するバリアである保護手段である。
【００４３】
１０４は光学ファインダであり、画像表示部２８による電子ファインダー機能を使用すること無しに、光学ファインダのみを用いて撮影を行うことが可能である。
【００４４】
１１０は通信手段でＵＳＢ、ＩＥＥＥ１３９４、ＬＡＮ、無線通信、等の各種通信機能を有する。
【００４５】
１１２は通信手段１１０により画像処理装置１００を他の機器と接続するコネクタ或いは無線通信の場合はアンテナである。
【００４６】
２００はメモリカードやハードディスク等の記録媒体である。
【００４７】
記録媒体２００は、半導体メモリや磁気ディスク等から構成される記録部２０２、画像処理装置１００とのインタフェース２０４、画像処理装置１００と接続を行うコネクタ２０６を備えている。
２１０はメモリカードやハードディスク等の記録媒体である。
【００４８】
図２及び図３、図４は本実施例の画像処理装置１００の主ルーチンのフローチャートを示す。
【００４９】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００５０】
システム制御回路５０は、モードダイアル６０の設定位置を判断し、モードダイアル６０が撮影モードに設定されていたならば（Ｓ１０３）、Ｓ１０６に進む。モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００５１】
システム制御回路５０は、電源制御手段８０により電池等により構成される電源８６の残容量や動作情況が画像処理装置１００の動作に問題があるか否かを判断し（Ｓ１０６）、問題があるならば画像表示部２８を用いて画像や音声により所定の警告表示を行った後に（Ｓ１０８）、Ｓ１０３に戻る。
【００５２】
電源８６に問題が無いならば（Ｓ１０６）、システム制御回路５０は記録媒体２００の動作状態が画像処理装置１００の動作、特に記録媒体に対する画像データの記録再生動作に問題があるか否かを判断し（Ｓ１０７）、問題があるならば画像表示部２８を用いて画像や音声により所定の警告表示を行った後に（Ｓ１０８）、Ｓ１０３に戻る。
【００５３】
記録媒体２００の動作状態に問題が無いならば（Ｓ１０７）、画像表示部２８を用いて画像や音声により画像処理装置１００の各種設定状態の表示を行う（Ｓ１０９）。
【００５４】
システム制御回路５０は、撮像した画像データを逐次表示するスルー表示状態に設定して（Ｓ１１６）、Ｓ１５０に進む。
【００５５】
スルー表示状態に於いては、撮像素子１４、Ａ／Ｄ変換器１６、画像処理回路２０、メモリ制御回路２２を介して、メモリ３０に逐次書き込まれたデータを、画像表示部２８により逐次表示することにより、電子ファインダー機能を実現している。
【００５６】
撮影モード選択でピント位置設定撮影モードが選択されているならば（Ｓ１５０）、ピント位置設定処理（Ｓ１５１）を実行する。
【００５７】
このピント位置設定処理（Ｓ１５１）の詳細は図８を用いて後述する。
【００５８】
設定された複数のピント位置で複数の撮影を行わない場合において（Ｓ１６０）、ＳＷ１（Ｓ１５２）が押されたならば、ピント位置設定（Ｓ１５１）で設定されたフレームイン枠の画像変化を被写体検出部７４でチェックし（Ｓ１５３）、画像変化があれば（Ｓ１５４）、変化したフレームイン枠のピント位置へフォーカスを移動させる（Ｓ１５５）。その後、撮影処理（Ｓ１５６）を行い、記録処理（Ｓ１５７）を実行し、Ｓ１０３の状態に戻る。
【００５９】
設定された複数のピント位置で複数の撮影を行う場合においては（Ｓ１６０）、図９を用いて後述説明する。
【００６０】
撮影処理（Ｓ１５６）、記録処理（Ｓ１５７）の詳細は図６、図７を用いて後述する。
【００６１】
撮影モード選択でピント位置設定撮影モードが選択されていないならば（Ｓ１５０）、Ｓ１１９に進む。
【００６２】
シャッタースイッチＳＷ１が押されていないならば（Ｓ１１９）、Ｓ１０３に戻る。
【００６３】
シャッタースイッチＳＷ１が押されたならば（Ｓ１１９）、Ｓ１２２に進む。
【００６４】
システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【００６５】
この測距・測光処理Ｓ１２２の詳細は図５を用いて後述する。
【００６６】
測距・測光処理Ｓ１２２を終えたならば、Ｓ１２５に進む。
【００６７】
シャッタースイッチＳＷ２が押されずに（Ｓ１２５）、さらにシャッタースイッチＳＷ１も解除されたならば（Ｓ１２６）、Ｓ１０３に戻る。
【００６８】
シャッタースイッチＳＷ２が押されたならば（Ｓ１２５）、Ｓ１２９に進む。この撮影処理Ｓ１２９の詳細は図６を用いて後述する（上記Ｓ１５６処理と同様）。
【００６９】
図５は、図４のＳ１２２における測距・測光処理の詳細なフローチャートを示す。
【００７０】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００７１】
なお、ここでの各処理は、撮影した全画素数のうちの必要に応じた特定の部分を必要個所分切り取って抽出し、演算に用いている。これにより、  ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００７２】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【００７３】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【００７４】
露出（ＡＥ）が適正と判断したならば（Ｓ２０２）、測定データ及び或いは設定パラメータをメモリ３０に記憶する。
【００７５】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【００７６】
ホワイトバランス（ＡＷＢ）が適正と判断したならば（Ｓ２０６）、測定データ及び或いは設定パラメータをメモリ３０に記憶する。
【００７７】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【００７８】
測距（ＡＦ）が合焦と判断したならば（Ｓ２０８）、測定データ及び或いは設定パラメータをメモリ３０に記憶し、測距・測光処理ルーチンＳ１２２を終了する。
【００７９】
図６は、図３のＳ１５６、図４のＳ１２９における撮影処理の詳細なフローチャートを示す。
【００８０】
システム制御回路５０は、メモリ３０に記憶される測光データに従い、露光制御手段４０によって、絞り機能を有するシャッター１２を絞り値に応じて開放して撮像素子１０を露光する（Ｓ３０１、Ｓ３０２）。
【００８１】
フラッシュ・フラグによりフラッシュ４８が必要か否かを判断し（Ｓ３０３）、必要な場合はフラッシュを発光させる（Ｓ３０４）。
【００８２】
システム制御回路５０は、測光データに従って撮像素子１２の露光終了を待ち（Ｓ３０５）、シャッター１２を閉じる（Ｓ３０６）。
【００８３】
次に、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、画像としてメモリ３０にデータを書き込む（Ｓ３１０）。
【００８４】
その後、設定された撮影モードに応じて、現像処理（Ｓ３３０）を順次行った後、メモリ３０に処理を終えた画像データを書き込む。
【００８５】
一連の処理を終えたならば、撮影処理ルーチンＳ１５６、Ｓ１２９を終了する。
【００８６】
図７は図３のＳ１５７、図４のＳ１３５における記録処理の詳細なフローチャートを示す。
【００８７】
システム制御回路５０は、メモリ制御回路２２を用いて、メモリ３０に書き込まれた画像データを読み出して、設定したモードに応じた画像圧縮処理を圧縮・伸長回路３２により行った後（Ｓ４０２）、インタフェース９０、コネクタ９２を介して、メモリカードやコンパクトフラッシュ（登録商標）カード等の記録媒体２００へ圧縮した画像データの書き込みを行う（Ｓ４０３）。
【００８８】
記録媒体への書き込みが終わったならば、記録処理ルーチンＳ１５７、Ｓ１３５を終了する。
【００８９】
図８は図３のピント位置設定（Ｓ１５１）の詳細フローチャートを示す。ここでは、画像表示部２８にタッチパネルを使用した場合について説明する。
【００９０】
画像表示部２８で表示されている画像に対して、ピント位置設定したい位置を押すことで、ピント位置を選択する（Ｓ５００）。その後、設定された位置の測距・測光処理（Ｓ５０１）を行う。処理内容としてはＳ１２２と同様である。また、Ｓ５００で選択された位置と対応付けてして測距・測光値をメモリ３０に記憶しておく。被写体検出部７４で設定された位置の画像が認識できる場合（Ｓ５０２）、認識した画像を含むようにフレームイン枠を設定する（Ｓ５０３）。設定された位置の画像が認識できない場合（Ｓ５０２）、設定された位置の周辺をフレームイン枠として設定し（Ｓ５０４）、メモリ３０にデータを書き込む。その後、更にピント位置設定を行う場合（Ｓ５０５）は、Ｓ５００へ戻り、ピント位置設定を終了する場合はＳ１５１の処理を終了する。
【００９１】
ここで、画像が認識できる場合とは、設定したピント位置が花であると判断できる場合、花全体をフレームイン枠として設定する。人の顔を選択場合には人物と判断し、顔全体をフレームイン枠とする。
【００９２】
複数ピント位置設定する場合には、ピント位置の優先度を設定し、図３のＳ１５４の画像変化の有無を判断する優先度を設定することができるようにする。また、複数ピント位置設定された場合、ピントの位置が優先度の高い位置にフォーカスレンズを駆動しておく。また、フレームイン枠を中心に、画像処理回路２０による画像の切り出しや、画素補間処理などによる撮像画角の電子的なズーミング撮影を行うことができるようにする。この場合、記録サイズ以下に撮像素子の画素サイズが小さくならないように設定するようにする。
【００９３】
図９では複数ピント位置撮影モードが選択された場合の撮影が完了するまでのフローチャートを示す。
【００９４】
シャッタースイッチＳＷ１が押されたならば（Ｓ１７０）、被写体検出部７４でピント位置設定で設定されたフレームイン枠の画像変化をチェックし（Ｓ１７１）、画像変化があれば（Ｓ１７２）、変化したフレームイン枠のピント位置へフォーカスレンズを移動させる（Ｓ１７３）。その後、撮影処理（Ｓ１７４）を行い、記録処理（Ｓ１７５）を実行し、全てのピント位置で撮影が完了したならば（Ｓ１７６）、Ｓ１０３の状態に戻る。全てのピント位置で撮影が完了していないならば（Ｓ１７６）、Ｓ１７１の状態に戻る。
【００９５】
上記実施の形態では、ピント位置を複数記憶しておくことで、フレームインした場所によらず、ピントが合った撮影を可能とする。また、フレームインしてからオートフォーカス動作を行うことがないので、フレームインした瞬間の撮影を可能とする。
【符号の説明】
【００９６】
１０：撮影レンズ  １２：シャッター  １４：撮像素子  １６：Ａ／Ｄ変換器  １８：タイミング発生回路  ２０：画像処理回路  ２２：メモリ制御回路  ２８：画像表示部  ３０：メモリ  ３２：画像圧縮・伸長回路
４０：露光制御手段  ４２：測距制御手段  ４４：ズーム制御手段ｙ４８：フラッシュ
５０：システム制御回路
６０：モードダイアルスイッチ  ６２：シャッタースイッチＳＷ１  ６４：シャッタースイッチＳＷ２  ６６：表示切替スイッチ  
７０：操作部  ７２：ズームスイッチ
９０：インタフェース  ９２：コネクタ
１００：画像処理装置  １０２：保護手段  １０４：光学ファインダ
１１０：通信手段  １１２：コネクタ（またはアンテナ）
２００：記録媒体  ２０２：記録部  ２０４：インタフェース  ２０６：コネクタ
【図１】
2012160855.tif 000003
【図２】
2012160855.tif 000004
【図３】
2012160855.tif 000005
【図４】
2012160855.tif 000006
【図５】
2012160855.tif 000007
【図６】
2012160855.tif 000008
【図７】
2012160855.tif 000009
【図８】
2012160855.tif 000010
【図９】
2012160855.tif 000011